(57)【要約】【課題】イーサネット受動形光加入者網におけるマルチキャスト及び仮想ＬＡＮサービスを効率的に提供する。 【解決手段】本発明の方法は、光加入者ユニット及びグループの数によってグループＩＤ及び論理的リンクＩＤのビット数を設定する設定段階と、前記光加入者ユニットに前記設定されたビット数を有する論理的リンクＩＤを割当て、前記光加入者ユニットを多数のグループに分割してから前記設定されたビット数を有するグループＩＤを割当てる割当段階と、前記フレームが入力されると前記フレームに設定されたモード値、グループＩＤ及び論理的リンクＩＤを参照して、ユニキャスト、ブロードキャスト及びマルチキャストのうち一つの方式で前記フレームを前記光加入者ユニットに伝送する伝送 段階と、を含む。【選択図】図４
2008141761.tif 000002
【特許請求の範囲】
【請求項１】
イーサネット基盤受動形光加入者網内で送受信されるデータが記録されたコンピュータで読むことができる記録媒体において、
伝送モードを設定するモード値が設定されるモードフィールドと、
前記イーサネット基盤受動形光加入者網の構成環境によって可変する大きさを有するグループＩＤが設定されるグループＩＤフィールドと、
前記グループＩＤによって可変される大きさを有する論理的リンクＩＤが設定される論理的リンクＩＤフィールドと、を有するデータが記録されたコンピュータで読むことができる記録媒体。
【請求項２】
前記グループＩＤフィールドと前記論理的リンクＩＤフィールドの大きさの和は一定であることを特徴とする請求項１に記載のデータが記録されたコンピュータで読むことができる記録媒体。
【請求項３】
前記モード値は、前記データがユニキャストフレームなのかブロードキャスト又はマルチキャストフレームなのかを区分するための情報を有することを特徴とする請求項１に記載のデータが記録されたコンピュータで読むことができる記録媒体。
【請求項４】
前記グループＩＤは、前記分割されたグループを識別するための情報を有することを特徴とする請求項１に記載のデータが記録されたコンピュータで読むことができる記録媒体。
【請求項５】
前記論理的リンクＩＤは、前記フレームが光加入者ユニットから光終端装置に伝送される時には出発地の光加入者ユニットを代表する値を有し、光終端装置から光加入者ユニットに伝送される時には目的地の光加入者ユニットを代表する値を有することを特徴とする請求項１に記載のデータが記録されたコンピュータで読むことができる記録媒体。
【請求項６】
イーサネット基盤受動形光加入者網から多数の光加入者ユニットが連結された光終端装置のフレーム処理方法において、
前記光加入者ユニット及びグループの数によって、グループＩＤ及び論理的リンクＩＤのビット数を設定する設定段階と、
前記光加入者ユニットに前記設定されたビット数を有する論理的リンクＩＤを割り当て、前記光加入者ユニットを多数のグループに分割してから前記設定されたビット数を有するグループＩＤを割り当てる割当段階と、
フレームが入力されると、前記フレームに設定されたモード値、グループＩＤ及び論理的リンクＩＤを参照して、ユニキャスト、ブロードキャスト及びマルチキャストのうちいずれかの方式で、前記フレームを前記光加入者ユニットに伝送する伝送段階と、を具備するイーサネット基盤受動形光加入者網においてマルチキャスト及び仮想ＬＡＮサービスを効率的に提供するためのフレーム処理方法。
【請求項７】
前記伝送段階は、
前記フレームに設定された前記モード値、グループＩＤ及び論理的リンクＩＤを確認する確認段階と、
前記モード値がブロードキャスト又はマルチキャストフレームであり、前記グループＩＤが無効な値であれば、前記論理的リンクＩＤを有する光加入者ユニットを除いた残りの光加入者ユニットに前記フレームをブロードキャストする第１伝送段階と、
前記モード値がブロードキャスト又はマルチキャストフレームであり、前記グループＩＤが有効な値であれば、前記グループＩＤと前記論理的リンクＩＤを有する前記グループの光加入者ユニットを除いた前記グループの光加入者ユニットに前記フレームをマルチキャストする第２伝送段階と、
前記モード値がユニキャストフレームであれば、前記論理的リンクＩＤを有する光加入者ユニットに前記フレームをユニキャストする第３伝送段階と、を具備することを特徴とする請求項６に記載のイーサネット基盤受動形光加入者網においてマルチキャスト及び仮想ＬＡＮサービスを効率的に提供するためのフレーム処理方法。
【請求項８】
フレームの種類を表すモード値と前記設定されたビット数を有するグループＩＤ及び論理的リンクＩＤがフレームヘッダに設定された前記フレームを生成して送信するフレーム送信段階をさらに具備することを特徴とする請求項６に記載のイーサネット基盤受動形光加入者網においてマルチキャスト及び仮想ＬＡＮサービスを効率的に提供するためのフレーム処理方法。
【請求項９】
前記モード値は、
前記フレームがユニキャストフレームなのかブロードキャスト又はマルチキャストフレームなのかを区分するための情報を有することを特徴とする請求項６に記載のイーサネット基盤受動形光加入者網においてマルチキャスト及び仮想ＬＡＮサービスを効率的に提供するためのフレーム処理方法。
【請求項１０】
前記グループＩＤは、
前記分割されたグループを識別するための情報を有することを特徴とする請求項６に記載のイーサネット基盤受動形光加入者網においてマルチキャスト及び仮想ＬＡＮサービスを効率的に提供するためのフレーム処理方法。
【請求項１１】
前記論理的リンクＩＤは、
前記フレームが前記光加入者ユニットから前記光終端装置に伝送される時には出発地の光加入者ユニットを代表する値を有し、
前記光終端装置から前記光加入者ユニットに伝送される時には、目的地の光加入者ユニットを代表する値を有することを特徴とする請求項６に記載のイーサネット基盤受動形光加入者網においてマルチキャスト及び仮想ＬＡＮサービスを効率的に提供するためのフレーム処理方法。
【請求項１２】
イーサネット基盤受動形光加入者網から光終端装置に連結される多数の光加入者ユニットそれぞれのフレーム処理方法において、
前記光加入者ユニット及びグループの数によって、グループＩＤ及び論理的リンクＩＤのビット数を設定する設定段階と、
前記光終端装置から自分のグループＩＤ及び論理的リンクＩＤと他の光加入者ユニットのグループＩＤ及び論理的リンクＩＤの提供を受けて保存する保存段階と、
フレームが入力されると、前記フレームに設定されたモード値、グループＩＤ及び論理的リンクＩＤと前記自分のグループＩＤ及び論理的リンクＩＤを参照して前記フレームの受信可否を確認する受信段階と、を具備するイーサネット基盤受動形光加入者網においてマルチキャスト及び仮想ＬＡＮサービスを効率的に提供するためのフレーム処理方法。
【請求項１３】
前記受信段階は、
前記フレームに設定された前記モード値、グループＩＤ及び論理的リンクＩＤを確認する確認段階と、
前記モード値がユニキャストフレームであり、前記論理的リンクＩＤが前記自分の論理的リンクＩＤと一致すると、前記フレームを受信する第１受信段階と、
前記モード値がブロードキャスト又はマルチキャストフレームであり、前記グループＩＤが無効な値で、前記論理的リンクＩＤが前記自分の論理的リンクＩＤと相違すると、前記フレームを受信する第２受信 段階と、
前記モード値がブロードキャスト又はマルチキャストフレームであり、前記グループＩＤが自分のグループＩＤと一致し、前記論理的リンクＩＤが前記自分の論理的リンクＩＤと相違すると、前記フレームを受信する第３受信段階と、を具備することを特徴をする請求項１２に記載のイーサネット基盤受動形光加入者網においてマルチキャスト及び仮想ＬＡＮサービスを効率的に提供するためのフレーム処理方法。
【請求項１４】
フレームの種類を表わすモード値と前記設定されたビット数を有するグループＩＤ及び論理的リンクＩＤがフレームヘッダに設定された前記フレームを生成して伝送するフレーム生成段階をさらに具備することを特徴とする請求項１２に記載のイーサネット基盤受動形光加入者網におてマルチキャスト及び仮想ＬＡＮサービスを効率的に提供するためのフレーム処理方法。
【請求項１５】
前記モード値は、
前記フレームがユニキャストフレームなのかブロードキャスト又はマルチキャストフレームなのかを区分するための情報を有することを特徴とする請求項１２に記載のイーサネット基盤受動形光加入者網においてマルチキャスト及び仮想ＬＡＮサービスを効率的に提供するためのフレーム処理方法。
【請求項１６】
前記グループＩＤは、
前記分割されたグループを識別するための情報を有することを特徴とする請求項１２に記載のイーサネット基盤受動形光加入者網においてマルチキャスト及び仮想ＬＡＮサービスを効率的に提供するためのフレーム処理方法。
【請求項１７】
前記論理的リンクＩＤは、
前記フレームが前記光加入者ユニットから前記光終端装置に伝送される時には、出発地の光加入者ユニットを代表する値を有し、
前記光終端装置から前記光加入者ユニットに伝送される時には、目的地の光加入者ユニットを代表する値を有することを特徴とする請求項１２に記載のイーサネット基盤受動形光加入者網においてマルチキャスト及び仮想ＬＡＮサービスを効率的に提供するためのフレーム処理方法。
【発明の詳細な説明】
【技術分野】
【０００１】
本発明はイーサネットＴＭ受動形光加入者網（Ｅｔｈｅｒｎｅｔ  Ｐａｓｓｉｖｅ  Ｏｐｔｉｃａｌ  Ｎｅｔｗｏｒｋ；ＥＰＯＮ）に関するもので、特にＥＰＯＮ網におけるマルチキャスト及び仮想ＬＡＮ（ｖｉｒｔｕａｌ  ＬＡＮ；ＶＬＡＮ）サービスをより効率的に提供できるようにするフレーム処理方法に関する。本研究は情報通信部及び情報通信研究振興院のIT新成長動力核心技術開発事業の一環として行ったものである。[2005-S-401-02, 超高速光加入者網の技術開発]
【背景技術】
【０００２】
現在、広帯域サービスを提供するのに適した経済的構築方法としてイーサネット（Ｅｔｈｅｒｎｅｔ）を基盤にするＰＯＮ（Ｐａｓｓｉｖｅ  Ｏｐｔｉｃａｌ  Ｎｅｔｗｏｒｋ）システム（即ち、ＥＰＯＮ）が台頭されている。 このようなＥＰＯＮはＩＥＥＥ８０２．３ａｈ  ＥＦＭ（Ｅｔｈｅｒｎｅｔ  Ｆｉｒｓｔ  Ｍｉｌｅ）標準化団体で標準化を進めている。
【０００３】
ＥＰＯＮは一般的に、一つのＯＬＴ（Ｏｐｔｉｃａｌ  Ｌｉｎｅ  Ｔｅｒｍｉｎａｌ）と多数のＯＮＵシステム（Ｏｐｔｉｃａｌ  Ｎｅｔｗｏｒｋ  Ｕｎｉｔ）又はＯＮＴ（Ｏｐｔｉｃａｌ  Ｎｅｔｗｏｒｋ  Ｔｅｒｍｉｎａｌ）（以下、ＯＮＵで表記）を受動光分配器（Ｓｐｌｉｔｔｅｒ）で連結した構造で、多数のＯＮＵが一つのＯＬＴを共有する点対多点（ｐｏｉｎｔ  ｔｏ  ｍｕｌｔｉ―ｐｉｏｎｔ）構造を有する。
【０００４】
この時、ＯＬＴからＯＮＵへの伝送方向を下向とし、ＯＮＵからＯＬＴへの伝送方向を上向とするが、ＥＰＯＮは、下向の信号は全てＯＮＵに伝送されるが上向の信号はＯＬＴにのみ伝送される方向性を有する。
【０００５】
そのため、ＯＮＵ同士でフレームを送信する場合、送信ＯＮＵは受信ノードの位置を知る必要はなく、ＯＬＴにフレームを上向伝送するだけでＯＬＴがフレームの目的地住所をみて、該当ＯＮＵへフレームを下向に再伝送する。
【０００６】
一方、最近になってＩＰＴＶに対する論議が活発に行われており、ＩＰＴＶをＥＰＯＮ網においてもサービスしようとしている。
【０００７】
しかし、ＥＰＯＮ網は標準で定義したフレームと送受信方法によってマルチキャスト機能を支援することができないため、ＩＰＴＶをＥＰＯＮ網でサービスすると全てのフレームはブロードキャストされる。
【０００８】
従って、ＩＰＴＶサービス事業者は有料加入者に差別化されたサービスを提供できないだけではなく、有料加入していない使用者もＩＰＴＶを無断で使用できるという問題が発生する。
【０００９】
前記の問題を解決するために、大韓民国公開特許１０−２００５−５８９３７は図１に図示されたように、フレームを構成してグループＩＤ（ＩＤ）（又はマルチキャストＩＤ）を設定し、これを利用してマルチキャスト機能を支援できるようにした。
【００１０】
図１を参照すると、フレームのプリアンブル／ＳＦＤ（Ｓｔａｒｔ  Ｏｆ  Ｆｒａｍｅ）フィールド４０１のＬＬＩＤフィールド４０８の１６ビット領域を１ビット領域、３ビット領域、そして１２ビット領域に分けてからモード値、（ｍｏｄｅ）、グループＩＤ（ｇｒｏｕｐ＿ｉｄ［１４：１２］）及び論理的リンクＩＤ（ｌｏｇｉｃａｌ＿ｌｉｎｋ＿ｉｄ［１１：０］）をそれぞれの領域に設定した。
【００１１】
即ち、ＬＬＩＤフィールド４０８にモード値（ｍｏｄｅ）及び論理的リンクＩＤ（ｌｏｇｉｃａｌ＿ｌｉｎｋ＿ｉｄ［１１：０］）だけではなく、グループＩＤ（ｇｒｏｕｐ＿ｉｄ［１４：１２］）に関する情報も設定されるようにし、フレームを通してグループＩＤに関する情報も送受信できるようにした。
【００１２】
しかし、ＯＮＵ及びグループの数は網の構成環境によって一定に固定できず、随時変更される反面、図１によるグループＩＤ及び論理的リンクＩＤのビット数は常に３ビットと１２ビットで一定に固定される。
【００１３】
それにグループ又はＯＮＵの数が割り当て可能なグループＩＤ又は論理的リンクＩＤの数より多くなると、グループＩＤ又は論理的リンクＩＤを割り当てられないグループ又はＯＮＵが発生し、これによってフレーム送受信動作を行うことができないＯＮＵが発生するようになる。
【００１４】
そしてＩＰＴＶサービス事業者がＩＰＴＶのサービスを提供するためには、ＩＰＴＶサービス事業者に連結されたＯＮＵがＯＬＴにＩＰＴＶのサービスのためのフレームを伝送し、ＯＬＴが多数のＯＮＵに下向伝送すべきであるが、このような場合にはＩＰＴＶサービス事業者に連結されたＯＮＵには該当フレームが再伝送されてはいけない。
【００１５】
即ち、ＯＬＴがフレームを送信したＯＮＵを除いたＯＮＵシステムにのみ該当フレームを下向伝送する送信制限動作の導入が必要である。
【発明の開示】
【発明が解決しようとする課題】
【００１６】
前記の問題点を解決するための本発明の目的は、マルチキャスト動作を支援しながらも網の構成環境によってグループＩＤと論理的リンクＩＤのビット数を能動的に設定できるようにして、マルチキャスト及びＶＬＡＮサービスをより効率的に提供できるようにするフレーム処理方法を提供することにある。
【００１７】
前記の問題点を解決するための本発明の他の目的は、ＧＩＤで送信制限動作を支援し、フレームを送信したＯＮＵに該当フレームが再伝送されることを事前に防止できるフレーム処理方法を提供することにある。
【課題を解決するための手段】
【００１８】
前記の本発明の目的を達成するために、本発明のイーサネット基盤受動形光加入者網内で送受信されるデータが記録されたコンピューターで読むことのできる記録媒体は、伝送モードを設定するモード値が設定されるモードフィールドと、前記イーサネット基盤受動形光加入者網の構成環境によって可変される大きさを有するグループＩＤが設定されるグループＩＤフィールドと、前記グループＩＤによって可変される大きさを有する論理的リンクＩＤが設定される論理的リンクＩＤフィールドを含むことができる。
【００１９】
前記の本発明の目的を達成するために、本発明のイーサネット基盤受動形光加入者網における多数の光加入者ユニットが連結された光終端装置のフレーム処理方法は、光加入者ユニット及びグループの数によってグループＩＤ及び論理的リンクＩＤのビット数を設定する設定段階と、前記光加入者ユニットに前記設定されたビット数を有する論理的リンクＩＤを割り当て、前記光加入者ユニットを多数のグループに分割してから前記設定されたビット数を有するグループＩＤを割り当てる割当段階と、フレームが入力されると前記フレームに設定されたモード値、グループＩＤ及び論理的リンクＩＤを参照してユニキャスト、ブロードキャスト及びマルチキャストのうち一つの方式で前記フレームを前記光加入者ユニットに伝送する伝送段階と、を含むことができる。
【００２０】
前記の本発明の目的を達成するために、本発明イーサネット基盤受動形光加入者網における光終端装置に連結される多数の光加入者ユニットそれぞれのフレーム処理方法は、光加入者ユニット及びグループの数によってグループＩＤ及び論理的リンクＩＤのビット数を設定する設定段階と、前記光終端装置から自分のグループＩＤ及び論理的リンクＩＤと他の光加入者ユニットのグループＩＤ及び論理的リンクＩＤの提供を受け、保存する保存段階と、フレームが入力されると前記フレームに設定されたモード値、グループＩＤ及び論理的リンクＩＤと前記自分のグループＩＤ及び論理的リンクＩＤを参照して前記フレームの受信可否を確認する受信段階を含むことができる。
【発明の効果】
【００２１】
このように本発明のＥＰＯＮ網においてマルチキャスト及びＶＬＡＮを効率的に提供するためのフレーム処理方法は、ＶＬＡＮを利用しなくてもＬＡＮ網のようなグループを構成できるようにグループＩＤと論理的リンクＩＤを定義しながら、これらのビット数を網の構成環境に従って設定することによって、マルチキャスト及びＶＬＡＮをより効率的に提供できるようにする。
【００２２】
又、フレームのブロードキャスト又はマルチキャスト時に、フレームを送信したＯＮＵに該当フレームが再伝送されることを事前に防止し、ＥＰＯＮ網の動作信頼度も増大させる。
【発明を実施するための最良の形態】
【００２３】
以下添付の図面を参照し、本発明に属する技術分野で通常の知識を有する者が本発明を容易に実施できる好ましい実施例を詳細に説明する。ただし、本発明の好ましい実施例に関する動作原理を詳細に説明することにおいて、関連のある公知機能又は構成に関する具体的な説明が本発明の要旨を不要に不明確にすると判断される場合にはその詳細な説明を省略する。
【００２４】
尚、図面全体にわたって類似な機能及び作用する部分に関しては同じ図面符号を使用する。
【００２５】
図２は本発明の好ましい実施例によるフレームのデータフォーマットを表す図面で、特にプリアンブル／ＳＦＤフィールド１１０の詳細な構成が図示されている。そして、下記の［表１］にはプリアンブル／ＳＦＤ２１０のサービス規則が表示されている。
【００２６】
続いて、図２を参照すると、ＯＬＴとＯＮＵの間に送受信されるイーサネットＴＭフレームは、プリアンブル／ＳＦＤフィールド１１０、目的地住所フィールド１２０、出発地住所フィールド１３０、形式／長さフィールド１４０及びＦＣＳ（Ｆｒａｍｅ  Ｃｈｅｃｋ  Ｓｅｑｕｅｎｃｅ）フィールド１５０を含む。そして、プリアンブル／ＳＦＤフィールド１１０は、ＳＰＤ（Ｓｔａｒｔ  ｏｆ  Ｐａｃｋｅｔ  Ｄｅｌｉｍｉｔｅｒ）フィールド１１１、モードフィールド１１２、グループＩＤ（アイディー）フィールド１１３、論理的リンクＩＤフィールド１１４及びＣＲＣ８フィールド１１５を含む。
【００２７】
図２及び［表１］に表示されている通り、モードフィールド１１２、グループＩＤフィールド１１３及び論理的リンクＩＤフィールド１１４は、従来のように８バイトで構成されるプリアンブル／ＳＦＤフィールド１１０のうち６番目と７番目のバイトにかけて位置するが、モードフィールド１１２には１ビットのモード値が、グループＩＤフィールド１１３は（１５−ｎ）ビットのグループＩＤ（ＧＩＤ）が、論理的リンクＩＤフィールド１１４はｎビットの論理的リンクＩＤ（ＬＬＩＤ）がそれぞれ設定される。
【００２８】
そして、グループＩＤ（ＧＩＤ）のビット数（（１５−ｎ）ビット）と論理的リンクＩＤ（ＬＬＩＤ）のビット数（ｎビット）はＥＰＯＮ網を構成するＯＮＵの数とグループの数によって随時変更されることもある。即ち、グループＩＤフィールド１１３及び論理的リンクＩＤフィールド１１４の大きさは網の構成環境によって能動的に変更する。
【００２９】
モード値は該当フレームの伝送モードを設定するための値で、０又は１が割り当てられることができる。
【００３０】
モード値が０の場合にはＯＮＵシステム２７０で生成され、ＯＬＴシステム２２０へ伝送されるためのフレーム即ち、ユニキャストフレームであることを意味する。
【００３１】
モード値が1の場合には、該当フレームがブロードキャストフレーム又はマルチキャストフレームであることを意味する。ブロードキャストフレーム及びマルチキャストフレームの区分方法は以下で説明する。
【００３２】
（１５−ｎ）ビットのグループＩＤ（ＧＩＤ）はＯＬＴによって分割されたグループそれぞれを識別するための値であり、グループＩＤ（ＧＩＤ）が０の場合には一般的にグループＩＤ（ＧＩＤ）を指定しない場合、即ち、無効値として使用されるため、（１５−ｎ）ビットのグループＩＤ（ＧＩＤ）を通しては最大“２（１５−ｎ）―１”個のグループを区別することができる。そして、場合によっては一つのＯＮＵに多数のグループＩＤ（ＧＩＤ）が割り当てられることもある。
【００３３】
又、グループＩＤ（ＧＩＤ）は、モード値と共に該当フレームがブロードキャストフレームなのかマルチキャストフレームなのかを判断する根拠として使われる。
【００３４】
即ち、モード値が１の場合に、グループＩＤ（ＧＩＤ）が０（即ち、無効値）であれば、該当フレームはブロードキャストフレームと判断され、一方でモード値が１の場合にグループＩＤ（ＧＩＤ）が０でなければ、該当フレームはマルチキャストフレームと判断される。
【００３５】
ｎビットの論理的リンクＩＤ（ＬＬＩＤ）は、ＯＬＴが多数のＯＮＵシステムそれぞれを識別できるように割り当てる装置の代表値である。
【００３６】
このような論理的リンクＩＤ（ＬＬＩＤ）は一般的に“０”に設定されず、論理的リンクＩＤ（ＬＬＩＤ）の全てのビットが“１”に設定された場合には、該当フレームがブロードキャストフレームであることを意味するため、ｎビットにＯＬＴが割り当て可能な論理的リンクＩＤ（ＬＬＩＤ）の数は最大“２ｎ−２”個になる。そして、場合によっては一つのＯＮＵに多数の論理的リンクＩＤ（ＬＬＩＤ）が割り当てられることもある。
【００３７】
そして、論理的リンクＩＤ（ＬＬＩＤ）は該当フレームがＯＮＵからＯＬＴへ上向伝送される時には出発地のＯＮＵを代表する値として、ＯＬＴからＯＮＵへ下向伝送される時には目的地のＯＮＵを代表する値として使用される。これは一つのＯＬＴに連結された多数のＯＮＵに対して特定のＯＮＵを代表するもので、論理的リンク識別者又は論理的ポート番号である。
【００３８】
本発明は、論理的リンクＩＤ（ＬＬＩＤ）が前記で説明した通り、出発地のＯＮＵを代表する値を有する点を利用して送信制限動作を行う。
【００３９】
即ち、ＯＬＴがブロードキャスト又はマルチキャストのためにフレームを下向伝送する時、フレームに設定された論理的リンクＩＤ（ＬＬＩＤ）を有するＯＮＵが存在すれば、該当ＯＮＵが該当フレームを送信した出発地のＯＮＵであることを確認し、出発地のＯＮＵへは該当フレームを伝送しないようにする。
【００４０】
このような送信制限動作は、大きくマルチキャスト用送信制限動作とブロードキャスト用送信制限動作に分かれる。マルチキャスト用送信制限動作はマルチキャストされるグループに属するＯＮＵシステムのうち、特定のＯＮＵシステム（即ち、該当フレームを送信したＯＮＵ）を除いてからフレームを送信することで、ブロードキャスト用送信制限動作は全てのＯＮＵシステムのうち、特定のＯＮＵシステム（即ち、該当フレームを送信したＯＮＵ）を除いてからフレームを送信することである。
【００４１】
【表１】
2008141761.tif 000003
【００４２】
図３は本発明が適用されるイーサネット基盤受動形光加入者網のブロック図である。図３を参照すると、木構造のルートに位置するＥＰＯＮシステム２００は、大きくＯＬＴシステム２２０、ＯＤＮ２６０及び複数のＯＮＵシステム２７０ａ〜２７０ｎで構成される。
【００４３】
ＯＬＴシステム２２０はサービス供給者側の終端装置で、電気的信号を光信号に変換し、ＥＰＯＮの各加入者に提供する。即ち、多様な加入者トラヒックをＩＰネットワーク、ＴＤＭ（Ｔｉｍｅ  Ｄｉｖｉｓｉｏｎ  Ｍｕｌｔｉｐｌｅｘ）／ＰＳＴＮ（Ｐｕｂｌｉｃ  Ｓｗｉｔｃｈｅｄ  Ｔｅｌｅｐｈｏｎｅ  Ｎｅｔｗｏｒｋ）ネットワーク、ビデオ／オーディオネットワーク、ＭＰＬＳ（Ｍｕｌｔｉｐｒｏｔｏｃｏｌ  Ｌａｂｅｌ  Ｓｗｉｔｃｈｉｎｇ）ネットワーク、ＡＴＭ（Ａｓｙｎｃｈｒｏｎｏｕｓ  Ｔｒａｎｓｆｅｒ  Ｍｏｄｅ）ネットワーク及びその他の多様なネットワークを支援するサービスノード８０に連結させる。
【００４４】
この時、本発明によるＯＬＴシステム２２０は、ＥＰＯＮシステム２００を構成するＯＮＵ２７０ａ〜２７０ｎの数とグループの数によってグループＩＤ（ＧＩＤ）及び論理的リンクＩＤ（ＬＬＩＤ）のビット数を随時設定し、割り当て可能な論理的リンクＩＤ（ＬＬＩＤ）及びグループＩＤ（ＧＩＤ）の数を可変する。
【００４５】
例えば、ＯＮＵ２７０ａ〜２７０ｎの数が多く、グループの数が少ない場合には、論理的リンクＩＤ（ＬＬＩＤ）のビット数がグループＩＤ（ＧＩＤ）の数より多くなるように設定し、反対の場合には、論理的リンクＩＤ（ＬＬＩＤ）のビット数がグループＩＤ（ＧＩＤ）のビット数より少なくなるように設定する。そして、ＯＮＵの数とグループの数が類似な場合には、論理的リンクＩＤ（ＬＬＩＤ）のビット数とグループＩＤ（ＧＩＤ）のビット数を同一に設定する。
【００４６】
次いでＯＬＴシステム２２０は、グループＩＤ（ＧＩＤ）別にイーサネットフレームを処理する多数の共有ＬＡＮ（ラン）を構成して多数のサービス事業者別に独立した網を提供するだけではなく、網の構成環境によってフレームのグループＩＤフィールド１１３及び論理的リンクＩＤフィールド１１３の大きさを随時設定する。
【００４７】
ＯＤＮ２６０はＯＬＴシステム２２０とＯＮＵシステム２７０の間に連結され、ＯＬＴシステム２２０から伝送された光信号を複数の光信号に分離する役割をする。このため、ＯＤＮ２６０は複数の光回線２６３、２６５と複数の受動分配器（Ｐａｓｓｉｖｅ  Ｓｐｌｉｔｔｅｒ）２６４で構成される。
【００４８】
各ＯＮＵシステム２７０ａ〜２７０ｎは加入者側の終端装置で、ＯＤＮ２６０を通してＯＬＴシステム２２０と連結され、データ、ビデオ、音声サービスを支援するための加入者インターフェース及びＯＬＴシステム２２０に伝送される上向トラヒックのための網インターフェースを行う。
【００４９】
このようなＯＮＵシステム２７０ａ〜２７０ｎもＥＰＯＮシステム２００を構成するＯＮＵ２７０ａ〜２７０ｎの数とグループの数によってグループＩＤ（ＧＩＤ）及び論理的リンクＩＤ（ＬＬＩＤ）のビット数を随時設定し、割り当て可能なグループＩＤ（ＧＩＤ）及び論理的リンクＩＤ（ＬＬＩＤ）の数を可変する。
【００５０】
そして、ＯＬＴシステム２２０から自分（例えば、２７０ａ）のグループＩＤ（ＧＩＤ）及び論理的リンクＩＤ（ＬＬＩＤ）と他のＯＮＵシステム２７０ｂ〜２７０ｎのグループＩＤ（ＧＩＤ）及び論理的リンクＩＤ（ＬＬＩＤ）の提供を受け、テーブル形態で保存及び管理しながら、フレーム送信時には、自分２７０ａのグループＩＤ（ＧＩＤ）及び論理的リンクＩＤ（ＬＬＩＤ）をフレームにタギングするようにし、フレーム受信時には、フレームにタギングされたグループＩＤ（ＧＩＤ）及び論理的リンクＩＤ（ＬＬＩＤ）を分析して該当フレームを送信したＯＮＵを把握する。
【００５１】
又、ＯＬＴシステム２２０から受信したフレームにタギングされているグループＩＤ（ＧＩＤ）及び論理的リンクＩＤ（ＬＬＩＤ）を考え、受信したフレームの処理可否を決定する。その結果、ＶＬＡＮを使用しなくても複数のサービス事業者別に独立されたサービスを受けることが可能になる。
【００５２】
このような構成を有するＥＰＯＮシステム２００に対する全体運用管理は、ＯＬＴシステム２２０に接続されるＥＰＯＮ  ＣＬＩ（Ｃｏｍｍｏｎ  Ｌｉｎｅ  Ｉｎｔｅｒｆａｃｅ）又はＥＭＳ管理者（Ｅｌｅｍｅｎｔ  Ｍａｎａｇｅｍｅｎｔ  Ｓｙｓｔｅｍ  Ｍａｎａｇｅｒ）２１０を通して行われる。
【００５３】
図４は、本発明の一実施例によるＥＰＯＮ網においてマルチキャスト及びＶＬＡＮを効率的に提供するためのフレーム処理方法を概略的に説明するための図面である。
【００５４】
先ず、ＯＬＴシステム２２０と多数のＯＮＵシステム２７０ａ〜２７０ｎそれぞれは、ＥＰＯＮシステム２００を構成するＯＮＵシステムの数とグループの数によって論理的リンクＩＤ（ＬＬＩＤ）とグループＩＤ（ＧＩＤ）のビット数を設定し、設定されたビット数によってグループＩＤフィールドと論理的リンクＩＤフィールドの大きさを設定するＳ１０１ａ、Ｓ１０１ｂ。
【００５５】
ＥＰＯＮ  ＣＬＩ又はＥＭＳ管理者１１０は、基本的にＥＰＯＮシステム２００を構成するＯＮＵシステム及びグループの数を把握し、ＯＮＴ１２０とＯＬＴシステム２２０に知らせる機能を提供する。これにＳ１０１ａ及びＳ１０１ｂで、ＯＬＴシステム２２０と多数のＯＮＵシステム２７０ａ〜２７０ｎそれぞれは、ＥＰＯＮ  ＣＬＩ又はＥＭＳ管理者１１０を通してＯＮＵシステム及びグループの数を正確に把握することができる。
【００５６】
ＯＬＴシステム２２０は、ＥＰＯＮシステム２００を構成するＯＮＵシステム２７０ａ〜２７０ｎそれぞれに論理的リンクＩＤ（ＬＬＩＤ）を割り当て、ＯＮＵシステム２７０ａ〜２７０ｎをサービス別に多数のグループに分割してから各グループにグループＩＤ（ＧＩＤ）を割り当てるＳ１０２。
【００５７】
ＯＮＵシステム２７０ａ〜２７０ｎそれぞれは、ＯＬＴシステム２２０から自分のグループＩＤ（ＧＩＤ）及び論理的リンクＩＤ（ＬＬＩＤ）と他のＯＮＵシステム２７０ａ〜２７０ｎのグループＩＤ（ＧＩＤ）及び論理的リンクＩＤ（ＬＬＩＤ）の提供を受け、テーブル形態で保存及び管理するＳ１０３。
【００５８】
このような状態でＯＮＵシステム又はＯＬＴシステム（例えば、２７０ａ）がフレームを伝送しようとすると、該当ＯＮＵシステム２７０ａは段階Ｓ１０１ａによって決定されたビット数を有するグループＩＤ（ＧＩＤ）と論理的リンクＩＤ（ＬＬＩＤ）を伝送しようとするフレームのプリアンブル／ＳＦＤフィールド１１０に設定し、伝送するＳ１０４。
【００５９】
ＯＬＴシステム２２０は該当フレームを受信して、これに設定されたモード値、グループＩＤ（ＧＩＤ）、論理的リンクＩＤ（ＬＬＩＤ）を参照してユニキャスト、ブロードキャスト及びマルチキャストのうち、いずれかの方式を選択し、選択した方式で該当フレームを再伝送するＳ１０５。
【００６０】
ＯＬＴシステム２２０から伝送されるフレームを受信したＯＮＵシステム２７０ｂは、フレームのプリアンブル／ＳＦＤフィールド１１０に設定されているモード値、グループＩＤ（ＧＩＤ）及び論理的リンクＩＤ（ＬＬＩＤ）を参照し、ＯＬＴシステム２２０から伝送される（又は、他のＯＮＵシ  ステム２７０ａから伝送される）フレームの受信可否を決定するＳ１０６。
【００６１】
図５及び図６は、本発明の一実施例によるＯＬＴシステム２２０及びＯＮＵシステム２７０のＥＰＯＮ網において、マルチキャスト及びＶＬＡＮを効率的に提供するためのフレーム処理方法をより詳細に説明するための図面である。
【００６２】
先ず、図５を参照してＯＮＵシステム２７０から伝送されたフレームに対するＯＬＴシステム２２０のフレーム処理方法は以下の通りである。
【００６３】
ＯＬＴシステム２２０は新しいフレームが入力されるとＳ２０１、先ず入力されたフレームのプリアンブル／ＳＦＤフィールド１１０に含まれているモードフィールド１１２を参照して、モード値が０であるかを確認するＳ２０２。
【００６４】
モード値が０であれば、新しく入力されたフレームがユニキャストフレームであると判断し、目的地住所に該当フレームを再伝送するＳ２０３。一方、モード値が０でない場合には（即ち、モード値が１である場合には）、新しく入力されたフレームがブロードキャストフレームなのかマルチキャストフレームなのかを確認するため、グループＩＤフィールド１１３に設定されたグループＩＤ（ＧＩＤ）が０なのかをさらに確認するＳ２０４。
【００６５】
段階Ｓ２０４の確認結果、モード値が１で、グループＩＤ（ＧＩＤ）が０であると、該当フレームはブロードキャストフレームであると判断し、ブロードキャスト送信制限動作を支援するために、論理的リンクＩＤフィールド１１４に設定された論理的リンクＩＤ（ＬＬＩＤ）（即ち、出発地のＯＮＵの論理的リンクＩＤ（ＬＬＩＤ）を有するＯＮＵを検索及び獲得するＳ２０５。
【００６６】
段階Ｓ２０５によって出発地のＯＮＵの論理的リンクＩＤ（ＬＬＩＤ）を有するＯＮＵが存在すると、該当ＯＮＵが入力されたフレームを送信したＯＮＵであると判断し、該当ＯＮＵシステム２７０ａを除いたＯＮＵシステム２７０ｂ〜２７０ｎにのみ入力されたフレームを再伝送するＳ２０６。
【００６７】
段階Ｓ２０４の確認結果、モード値が1で、グループＩＤ（ＧＩＤ）が０でなければ、該当フレームがマルチキャストフレームであると判断し、マルチキャスト送信制限動作を支援するために、グループＩＤフィールド１１３に設定されたグループＩＤ（ＧＩＤ）が割り当てられたグループを検索及び獲得するＳ２０７。そして、獲得したグループに属するＯＮＵシステムのうち、論理的リンクＩＤフィールド１１４に設定されたＬＬＩを有するＯＮＵシステム２７０を検索及び獲得するＳ２０８。
【００６８】
段階Ｓ２０８によって獲得されたグループのＯＮＵシステム２７０ａは、該当フレームを送信したＯＮＵであると判断し、該当ＯＮＵシステム２７０ａを除いたグループのＯＮＵシステム２７０ａ〜２７０ｎにのみ該当フレームを伝達するＳ２０９。
【００６９】
続いて、図６を参照し、ＯＬＴシステム２２０から伝送されたフレームに対するＯＮＵシステム２７０のフレーム処理方法は以下と通りである。
【００７０】
先ず、ＯＮＵシステム２７０は新しいフレームが入力されるとＳ３０１、入力されたフレームのプリアンブル／ＳＦＤフィールド１１０に含まれている論理的リンクＩＤフィールド１１４を参照して、論理的リンクＩＤフィールド１１４に設定されているモード値が０であるかを確認するＳ３０２。
【００７１】
Ｓ３０２での確認結果、モード値が０である場合に、入力されたフレームはユニキャストフレームであると判断し、ＧＩＤフィールド１１３に設定されたグループＩＤ（ＧＩＤ）が０であるかを判別するＳ３０３。
【００７２】
Ｓ３０３での判別結果、グループＩＤ（ＧＩＤ）が０であれば、論理的リンクＩＤフィールド１１４に設定された論理的リンクＩＤ（ＬＬＩＤ）が自分の論理的リンクＩＤ（ＬＬＩＤ）と一致するかを確認しＳ３０４、自分の論理的リンクＩＤ（ＬＬＩＤ）と一致すると、該当フレームを自分に送信されたフレームであると判断して受信しＳ３０５、異なると該当フレームは他のＯＮＵに送信されるフレームであると判断して廃棄するＳ３０６。
【００７３】
一方、Ｓ３０３での判別結果、グループＩＤ（ＧＩＤ）が０でなければ、ＧＩＤフィールド１１３に設定されたグループＩＤ（ＧＩＤ）が自分に割り当てられたグループＩＤ（ＧＩＤ）と一致するかを確認しＳ３０７、一致すると該当フレームを受信しＳ３０５、一致しないと該当フレームを廃棄するＳ３０６。
【００７４】
続いて、段階Ｓ３０２での確認結果、モード値が０でない場合（即ち、モード値が１の場合）には、入力されたフレームがブロードキャストフレームなのかマルチキャストフレームなのかを確認するため、入力されたフレームのグループＩＤフィールド１１３に設定されているグループＩＤ（ＧＩＤ）を分析するＳ３０８。
【００７５】
Ｓ３０８段階での分析結果、グループＩＤ（ＧＩＤ）が０であれば、該当フレームがブロードキャストフレームであることを確認した後、ブロードキャスト用送信制限動作のために、論理的リンクＩＤフィールド１１４に設定された論理的リンクＩＤ（ＬＬＩＤ）の全てのビットが“１”であるか、自分に割り当てられた論理的リンクＩＤ（ＬＬＩＤ）と相違するかをさらに確認するＳ３０９。
【００７６】
段階Ｓ３０９の確認結果、論理的リンクＩＤフィールド１１４に設定された論理的リンクＩＤ（ＬＬＩＤ）の全てのビットが“１”であるか、自分の論理的リンクＩＤ（ＬＬＩＤ）と相違すると該当フレームを受信しＳ３０５、論理的リンクＩＤフィールド１１４に設定された論理的リンクＩＤ（ＬＬＩＤ）が自分の論理的リンクＩＤ（ＬＬＩＤ）と一致すると、該当フレームは自分が送信したフレームであると判断して廃棄する。即ち、ブロードキャスト用送信制限動作を行うＳ３０６。
【００７７】
Ｓ３０８段階での分析結果、グループＩＤ（ＧＩＤ）が０でなければ、自分のグループＩＤ（ＧＩＤ）と一致するかをさらに確認しＳ３１０、自分のグループＩＤ（ＧＩＤ）と一致すると、マルチキャスト用送信制限動作のために、論理的リンクＩＤフィールド１１４に設定された論理的リンクＩＤ（ＬＬＩＤ）の全てのビットが“１”であるか、自分の論理的リンクＩＤ（ＬＬＩＤ）と相違するかをさらに確認するＳ３０９。
【００７８】
段階Ｓ３０９の確認結果、論理的リンクＩＤフィールド１１４に設定された論理的リンクＩＤ（ＬＬＩＤ）の全てのビットが“１”であるか、自分に割り当てられた論理的リンクＩＤ（ＬＬＩＤ）と相違すると、該当フレームを受信しＳ３１０、該当フレームは自分が送信したフレームであると判断して廃棄する。即ち、マルチキャスト用送信制限動作を行うＳ３０６。
【００７９】
又、Ｓ３１２段階での確認結果、グループＩＤ（ＧＩＤ）は０ではないが、グループＩＤ（ＧＩＤ）が自分に割り当てられたグループＩＤ（ＧＩＤ）でなければ、該当フレームは自分のグループではない他のグループに属するＯＮＵシステムに伝送されるフレームであることを確認し、廃棄するＳ３０６。
【００８０】
以上で説明した本発明は、前述した実施例及び添付の図面によって限定されるものではなく、本発明の技術的思想から外れない範囲内で多様に置換、変形及び変更できるということは本発明が属する技術分野で通常の知識を有する当業者においては明白である。
【図面の簡単な説明】
【００８１】
【図１】従来の技術によるフレームのデータフォーマットである。
【図２】本発明の好ましい実施例によるフレームのデータフォーマットである。
【図３】図２のデータフォーマットを有するフレームを用いるイーサネット基盤受動形光加入者網のブロック図である。
【図４】本発明の一実施例によるＥＰＯＮ網におけるマルチキャスト及びＶＬＡＮを効率的に提供するためのフレーム処理方法を概略的に説明するための 図面である。
【図５】本発明の一実施例によるＯＬＴシステムのフレームの処理方法を説明するための図面である。
【図６】本発明の一実施例によるＯＮＵシステムのフレームの処理方法を説明するための図面である。
【図１】
2008141761.tif 000004
【図２】
2008141761.tif 000005
【図３】
2008141761.tif 000006
【図４】
2008141761.tif 000007
【図５】
2008141761.tif 000008
【図６】
2008141761.tif 000009